(57)【要約】【課題】ユーザの使用態様に対応した移動機の電池の持ち時間をユーザに提示すること。【解決手段】本発明の一特徴は、１以上の移動機に係る機種を有する機種情報と、前記１以上の移動機のそれぞれの複数の機能の消費電流値を含む消費電流情報と、前記１以上の移動機の電池の電池容量とを格納する記憶部と、前記複数の機能の使用時間と前記機種情報に含まれる少なくとも１つの機種とを受信すると、前記記憶部から前記受信した機種に係る消費電流情報と前記機種に係る電池容量とを取得し、前記受信した複数の機能の使用時間と前記取得した消費電流情報及び電池容量とに基づき、前記機種に係る持ち時間を算出する算出部とを有する装置に関する。【選択図】図１
2011078000.tif 000002
【特許請求の範囲】
【請求項１】
１以上の移動機に係る機種を有する機種情報と、前記１以上の移動機のそれぞれの複数の機能の消費電流値を含む消費電流情報と、前記１以上の移動機の電池の電池容量とを格納する記憶部と、
前記複数の機能の使用時間と前記機種情報に含まれる少なくとも１つの機種とを受信すると、前記記憶部から前記受信した機種に係る消費電流情報と前記機種に係る電池容量とを取得し、前記受信した複数の機能の使用時間と前記取得した消費電流情報及び電池容量とに基づき、前記機種に係る持ち時間を算出する算出部と、
を有する装置。
【請求項２】
前記複数の機能の使用時間は、前記複数の機能の使用時間を予め規定した移動機モデルケースに基づき決定される、請求項１記載の装置。
【請求項３】
前記複数の機能の使用時間は、使用されている移動機の使用履歴情報から取得される、請求項１記載の装置。
【請求項４】
前記算出部が複数の機種の持ち時間を算出すると、該算出された複数の持ち時間の大きさと指定された条件とに基づき、前記機種情報に含まれる機種のうち表示すべき１以上の機種を決定する判定部をさらに有する、請求項１記載の装置。
【請求項５】
移動機の複数の機能の使用時間と、記憶手段に格納されている機種情報に含まれる１以上の移動機に係る機種の少なくとも１つの機種とを受信するステップと、
前記１以上の移動機のそれぞれの複数の機能の消費電流値を含む消費電流情報と、前記１以上の移動機の電池の電池容量とを格納する前記記憶手段から、前記受信した機種に係る消費電流情報と前記機種に係る電池容量とを取得するステップと、
前記受信した複数の機能の使用時間と前記取得した消費電流情報及び電池容量とに基づき、前記機種に係る持ち時間を算出するステップと、
を有する方法。
【発明の詳細な説明】
【技術分野】
【０００１】
本発明は、移動機の持ち時間を表示する装置及び方法に関する。
【背景技術】
【０００２】
Ｗｅｂを介し、又は通信サービスプロバイダのサービス店の店頭において、通信サービスを利用するユーザの月々の携帯電話料金プランをシミュレーションするための情報システムが提供されている。ユーザが移動機を購入する際や、料金プランを変更する際に、ユーザは、自らの使用態様や、移動機により提供される各機能の使用時間に適した料金プランを事前に知ることができる。
【０００３】
また、Ｗｅｂやカタログには移動機の電池の待受時間、通話時間、音楽再生時間等が記載されており、ユーザは、移動機の持ち時間の目安を大まかに知ることができる。
【０００４】
しかしながら、Ｗｅｂや携帯電話のカタログでは各機能を連続使用した場合の移動機において可能な連続使用時間は記載されているが、ユーザは実際には１つの機能のみを連続的に使用するより、複数の機能を適宜使用することが多い。このため、記載された連続使用時間は、このようなユーザの実際の使用態様に基づいた移動機において可能な使用時間とはかけ離れたものとなっており、ユーザは、自らの使用態様に対応した移動機の電池の持ち時間を知ることはできない。
【先行技術文献】
【特許文献】
【０００５】
【特許文献１】特開２００１−５７７４２
【発明の概要】
【発明が解決しようとする課題】
【０００６】
本発明の課題は、上記問題点に鑑み、ユーザの使用態様に対応した移動機の電池の持ち時間をユーザに提示することである。
【課題を解決するための手段】
【０００７】
上記課題を解決するため、本発明の一特徴は、１以上の移動機に係る機種を有する機種情報と、前記１以上の移動機のそれぞれの複数の機能の消費電流値を含む消費電流情報と、前記１以上の移動機の電池の電池容量とを格納する記憶部と、前記複数の機能の使用時間と前記機種情報に含まれる少なくとも１つの機種とを受信すると、前記記憶部から前記受信した機種に係る消費電流情報と前記機種に係る電池容量とを取得し、前記受信した複数の機能の使用時間と前記取得した消費電流情報及び電池容量とに基づき、前記機種に係る持ち時間を算出する算出部とを有する装置に関する。
【発明の効果】
【０００８】
本発明によると、ユーザの使用態様に対応した移動機の電池の持ち時間をユーザに提示することができる。
【図面の簡単な説明】
【０００９】
【図１】図１は、本発明の一実施例によるシステムの構成を示す。
【図２】図２は、本発明の一実施例による装置のハードウェア構成を示す。
【図３】図３は、本発明の第１実施例による移動機の構成を示す。
【図４】図４は、本発明の第１実施例による移動機の各機能の平均消費電流値を示すテーブルである。
【図５】図５は、本発明の第１実施例による移動機の処理を示すフロー図である。
【図６】図６は、本発明の第２実施例による移動機とサーバとの構成を示す。
【図７】図７は、本発明の第２実施例による移動機とサーバとの処理を示すフロー図である。
【図８】図８は、本発明の第３実施例による移動機の構成を示す。
【図９】図９は、本発明の第３実施例による移動機の各機能の利用モデルを示すテーブルである。
【図１０】図１０は、本発明の第３実施例による移動機の処理を示すフロー図である。
【図１１】図１１は、本発明の第４実施例による移動機の構成を示す。
【図１２】図１２は、本発明の第４実施例による移動機の処理を示すフロー図である。
【図１３】図１３は、本発明の第５実施例による移動機の構成を示す。
【図１４】図１４は、本発明の第５実施例による移動機の処理を示すフロー図である。
【図１５】図１５は、本発明の第６実施例による移動機と情報処理装置との構成を示す。
【図１６】図１６は、本発明の第６実施例による移動機と情報処理装置との処理を示すフロー図である。
【発明を実施するための形態】
【００１０】
以下、図面に基づいて本発明の実施の形態を説明する。
【００１１】
図１を参照して、本発明の一実施例による情報システムの構成が説明される。図１は、本発明の一実施例によるシステムの構成を示す。
【００１２】
情報システム１００は、移動機２００と、情報処理装置３００と、サーバ４００とを有する。移動機２００と、情報処理装置３００と、サーバ４００とは、互いに通信接続されている。
【００１３】
移動機２００は、典型的には、携帯電話や携帯情報端末など、電池など一定の容量を有した電源により駆動される携帯可能な装置である。本発明の各実施例による移動機２００は、音声通信やメール送受信などの通信機能と音楽再生や画像撮像などのマルチメディア機能とを含む各種機能を備え、ユーザは移動機２００を使用して、通話やメールを送受信したり、マルチメディアコンテンツを取得及び再生することが可能である。移動機２００は、通信ケーブルなどを介し情報処理装置３００に接続可能である。また、移動機２００は、基地局（図示せず）やアクセスポイント（図示せず）などを介しサーバ４００に無線接続可能である。
【００１４】
情報処理装置３００は、典型的には、パーソナルコンピュータや情報端末などの計算装置である。本発明の各実施例による情報処理装置３００は、移動機２００を販売する販売店や、移動機２００に通信サービスを提供する通信サービスプロバイダのサービス店などに設置され、ユーザに販売情報、通信サービス情報、通信契約情報など各種情報を提供する。本実施例は、情報処理装置３００は、ネットワーク（図示せず）などを介しサーバ４００に接続され、サーバから必要な情報を取得するが、これに限定されるものでない。他の実施例では、情報処理装置３００が、サーバ４００の機能を備え、情報処理装置３００自ら必要な情報をユーザに提供するようにしてもよい。
【００１５】
サーバ４００は、典型的には、移動機２００や情報処理装置３００などのクライアントから何れかの処理を実行するリクエストを受信すると、この処理を実行し、実行結果をネットワークを介しクライアントに返す。本発明の各実施例によるサーバ４００は、通信サービスプロバイダのネットワーク上に設けられ、当該通信サービスプロバイダの通信サービスを利用する移動機２００や、当該通信サービスプロバイダの販売店やサービス店などに設置された情報処理装置３００に通信サービスに関する各種情報を提供する。
【００１６】
移動機２００、情報処理装置３００及びサーバ４００は、典型的には、図２に示されるように、補助記憶装置１０２、メモリ装置１０３、ＣＰＵ１０４、通信装置１０５、表示装置１０６、入力装置１０７、バスＢなどの各種ハードウェアリソースの１以上から構成される。補助記憶装置１０２は、ハードディスクやフラッシュメモリなどから構成され、移動機２００、情報処理装置３００及びサーバ４００における後述される各種処理を実現するプログラムやデータを格納する。メモリ装置１０３は、ＲＡＭ（Ｒａｎｄｏｍ  Ａｃｃｅｓｓ  Ｍｅｍｏｒｙ）などから構成され、プログラムの起動指示があった場合に、補助記憶装置１０２からプログラムを読み出して格納する。ＣＰＵ１０４は、情報を処理するプロセッサとして機能し、メモリ装置１０３に格納されたプログラムに従って後述される各種機能を実現する。通信装置１０５は、ネットワークを介し他の装置と有線及び／又は無線接続するための各種通信回路から構成される。移動機２００では、通信装置１０５は、典型的には、無線接続を実現するための各種無線通信回路などにより実現され、さらに情報処理装置３００と接続するための通信インタフェースなどを有する。表示装置１０６は、ディスプレイなどから構成され、プログラムによるＧＵＩ（Ｇｒａｐｈｉｃａｌ  Ｕｓｅｒ  Ｉｎｔｅｒｆａｃｅ）等を表示する。入力装置１０７は、操作ボタンやキーボード及びマウス等で構成され、様々な操作指示を入力させるために用いられる。
【００１７】
次に、図３を参照して、本発明の第１実施例による移動機が説明される。図３は、本発明の第１実施例による移動機の構成を示す。第１実施例では、ユーザが移動機の機種と移動機の各種機能を使用する時間又は使用することを所望する時間（使用時間）とを入力すると、移動機に保持されている各機能毎の平均消費電流値を記述したテーブルを参照して、選択された移動機の持ち時間を算出し、ユーザに表示する。なお、以下の説明では、移動機２００において上記処理が実行されるが、後述される移動機２００の各構成要素を情報処理装置３００に備えることによって、同様の処理が実現可能である。
【００１８】
第１実施例による移動機２００は、メモリ部２１０と、入力部２１２と、算出部２１４と、表示部２１６とを有する。
【００１９】
メモリ部２１０は、ＲＡＭなどから構成されるメモリ装置１０３により実現され、各移動機の機種を収容した機種情報と、図４に示されるような、機種情報に登録されている各移動機の各機能の平均消費電流値を記述した消費電流テーブルを格納する。この消費電流テーブルは移動機の機種毎に提供され、当該機種の移動機の各機能の平均消費電流値が記述される。典型的には、工場出荷時などには、移動機２００の消費電流テーブルがメモリ部２１０に当初記録され、移動機２００のネットワーク接続中などに、他の機種の消費電流テーブルがサーバ４００から取得され、メモリ部２１０が取得した情報に基づき定期的に更新されてもよい。さらに、メモリ部２１０は、移動機の機種毎の電池容量に関するデータを格納し、消費電流テーブルと同様に、ネットワークを介しアップデート可能である。すなわち、メモリ部２１０は、新たな機種が発売されたり、新たな機能が提供される場合も、新たな機種を機種情報に追加し、当該機種に係る平均消費電流値や電池容量などの各種情報を適宜更新可能である。
【００２０】
入力部２１２は、移動機２００に備えられた操作ボタンなどから構成される入力装置１０７により実現される。あるいは、入力部２１２はタッチ画面などにより実現され、表示装置１０６に表示された操作用ＧＵＩの各ボタンなどをユーザがタッチすることにより、入力部２１２に情報が入力されてもよい。入力部２１２から移動機２００に持ち時間表示要求をすると、ユーザは、表示装置１０６などに表示された入力画面を見ながら、自らの使用態様に基づき、ユーザが使用する各機能の使用時間と、機種情報に収容されている機種のうち持ち時間を知りたい移動機の機種とを入力部２１２に入力する。入力部２１２は、入力された各機能の使用時間と選択された機種とを算出部２１４に提供する。
【００２１】
算出部２１４は、ユーザにより入力された各機能の使用時間と選択された機種とを入力部２１２から受信すると、選択された機種に係る消費電流テーブルと電池容量とをメモリ部２１０から取得する。なお、選択された機種に係る消費電流テーブルがメモリ部２１０に格納されていない場合、メモリ部２１０は、ネットワークに接続し、サーバ４００から当該消費電流テーブルを取得してもよい。また、メモリ部２１０に消費電流テーブルが格納されていない機種については、ユーザが入力部２１２から選択できないようにしてもよい。
【００２２】
算出部２１４は、取得した消費電流テーブルを参照し、ユーザにより入力された各機能の使用時間と、消費電流テーブルに記述されている各機能の平均消費電流値とに基づき、ユーザにより入力された各機能の使用時間に対応する選択された機種の移動機の平均消費電流値を求める。算出部２１４は、選択された機種の電池容量と算出した平均消費電流値とに基づき、当該機種の持ち時間を算出し、算出した持ち時間を表示部２１６に通知する。ここで、算出部２１４は、メモリ装置１０３に格納された上述した処理を実現するためのプログラムを移動機２００のＣＰＵ１０４が実行することにより実現される。
【００２３】
一実施例では、算出部２１４は、以下の計算により上記持ち時間を算出する。すなわち、ユーザにより選択された機種に係る消費電流テーブルに記述された各機能ｆ１，ｆ２，...，ｆｎの１分当たりの平均消費電流値がそれぞれｃ１，ｃ２，...，ｃｎであり、ユーザにより入力された各機能ｆ１，ｆ２，...，ｆｎの使用時間（分）がそれぞれｔ１，ｔ２，...，ｔｎであるとする。このとき、ユーザにより入力された使用時間により選択された機種が使用された場合、移動機における合計の平均消費電流量は、ｃ１×ｔ１＋ｃ２×ｔ２＋・・・＋ｃｎ×ｔｎとなり、１分当たりの平均消費電流量Ｃは、（ｃ１×ｔ１＋ｃ２×ｔ２＋・・・＋ｃｎ×ｔｎ）／（ｔ１＋ｔ２＋・・・＋ｔｎ）となる。従って、選択された機種の電池容量がＷであるとすると、当該機種の持ち時間（分）は、Ｗ／Ｃにより求めることができる。なお、持ち時間の算出方法は、これに限定されるものでなく、他の何れか適切な方法により算出可能である。
【００２４】
表示部２１６は、移動機２００に備えられたディスプレイなどの表示装置１０６により実現され、持ち時間表示要求をしたユーザが各機能の使用時間と持ち時間を知りたい機種などを入力するための画面を生成し、表示装置１０６に表示する。また、算出部２１４から算出した持ち時間を受信すると、表示部２１６は、受信した持ち時間を表示装置１０６に表示する。
【００２５】
次に、図５を参照して、本発明の第１実施例による移動機２００における持ち時間表示処理が説明される。図５は、本発明の第１実施例による移動機の処理を示すフロー図である。
【００２６】
当該持ち時間表示処理は、例えば、ユーザが、入力部２１２に持ち時間表示要求を入力することにより開始される。
【００２７】
ステップＳ１０１において、ユーザは、移動機により提供される各機能の使用時間と、機種情報に収容されている機種のうち持ち時間を知りたい移動機の機種とを入力部２１２に入力する。入力部２１２は、入力された使用時間と機種とを算出部２１４に通知する。
【００２８】
ステップＳ１０２において、算出部２１４は、入力部２１２から受信した機種に係る消費電流テーブルと電池容量とをメモリ部２１２から取得する。
【００２９】
ステップＳ１０３において、算出部２１４は、取得した消費電流テーブルに記述されている各機能の平均消費電流値とユーザにより入力された各機能の使用時間とから、ユーザにより入力された各機能の使用時間に対応する選択された機種の移動機の平均消費電流値を求める。その後、算出部２１４は、メモリ部２１２から取得した選択された機種の電池容量と算出した平均消費電流値とに基づき、当該機種の持ち時間を算出し、算出した持ち時間を表示部２１６に通知する。
【００３０】
ステップＳ１０４において、表示部２１６は、通知された持ち時間を表示装置１０６に表示する。
【００３１】
なお、上記持ち時間表示処理は、上述した移動機２００の各構成要素を有する情報処理装置３００においても同様に実行可能である。
【００３２】
このように、第１実施例によると、ユーザの使用態様に基づく移動機の電池の持ち時間を提供することができるため、ユーザは、移動機の購入を検討する際、自らの使用態様に基づき購入を検討している移動機の電池の持ち時間を知ることができる。これにより、自らの使用態様により適した移動機を決定することができる。
【００３３】
次に、図６を参照して、本発明の第２実施例による情報システムが説明される。図６は、本発明の第２実施例による移動機とサーバとの構成を示す。第２実施例では、第１実施例の移動機２００のメモリ部２１０と算出部２１４がサーバ４００に備えられ、サーバ４００が、移動機２００から入力された移動機の各機能の使用時間と機種とを受信し、これらに基づき算出した持ち時間を移動機２００に返す。
【００３４】
第２実施例による移動機２００は、入力部２１２と、表示部２１６と、移動機側送受信部２１８とを有する。
【００３５】
入力部２１２は、移動機において使用する各機能の使用時間と、持ち時間を知りたい移動機の機種とユーザから受ける。入力部２１２は、入力された各機能の使用時間と選択された機種とを移動機側送信受信部２１８に提供する。
【００３６】
移動機側送受信部２１８は、通信装置１０５により実現され、無線ネットワーク（図示せず）を介し接続されるサーバ４００と通信する。移動機側送受信部２１８は、入力部２１２から受信した各機能の使用時間と選択された機種とをサーバ４００に送信し、サーバ４００において算出される持ち時間が送信されるのを待機する。サーバ４００から算出された持ち時間を受信すると、移動機側送受信部２１８は、受信した持ち時間を表示部２１６に通知する。
【００３７】
表示部２１６は、移動機側送受信部２１８から持ち時間を受信すると、受信した持ち時間を表示装置１０６に表示する。
【００３８】
第２実施例によるサーバ４００は、メモリ部４１０と、算出部４１２と、サーバ側送受信部４１４とを有する。
【００３９】
メモリ部４１０と算出部４１２とは、第１実施例の移動機２００のメモリ部２１０と算出部２１４と同様の構成を有する。すなわち、メモリ部４１０は、各移動機の機種を収容した機種情報と、機種毎の消費電流テーブルと、機種毎の電池容量とを格納する。算出部４１２は、メモリ部４１０に格納されている機種毎の消費電流テーブルと電池容量とを参照して、サーバ側送受信部４１４から受信した移動機２００においてユーザが入力した機種と各機能の使用時間とに基づき持ち時間を算出する。
【００４０】
サーバ側送受信部４１４は、移動機２００から移動機側送受信部２１８を介しユーザにより入力された機種と各機能の使用時間とを受信すると、受信した機種と使用時間とを算出部４１２に通知し、算出部４１２から算出した持ち時間が送信されるのを待機する。算出部４１２から上述したように算出された持ち時間を受信すると、サーバ側送受信部４１４は、受信した持ち時間を移動機２００に返す。
【００４１】
なお、上述した実施例では、移動機２００とサーバ４００とが協働して持ち時間を算出及び表示したが、同様の処理が、移動機２００の入力部２１２と表示部２１６と同様の構成要素を有する情報処理装置３００とサーバ４００とにより実行可能であることは明らかであろう。
【００４２】
次に、図７を参照して、本発明の第２実施例による移動機２００とサーバ４００とによる持ち時間表示処理が説明される。図７は、本発明の第２実施例による移動機とサーバとの処理を示すフロー図である。
【００４３】
当該持ち時間表示処理は、例えば、ユーザが、入力部２１２に持ち時間表示要求を入力することにより開始される。
【００４４】
ステップＳ２０１において、ユーザは、移動機により提供される各機能の使用時間と、持ち時間を知りたい移動機の機種とを入力部２１２に入力する。入力部２１２は、入力された使用時間と機種とを移動機側送受信部２１８に通知する。
【００４５】
ステップＳ２０２において、移動機側送受信部２１８は、サーバ４００との通信を確立し、受信した各機能の使用時間と機種とをサーバ４００に送信する。
【００４６】
ステップＳ２０３において、サーバ側送受信部４１４は、移動機２００から各機能の使用時間と選択された機種とを受信すると、算出部４１２に受信した各機能の使用時間と選択された機種とを通知する。
【００４７】
ステップＳ２０４において、算出部４１２は、サーバ側送受信部４１４から各機能使用時間と選択された機種とを受信すると、メモリ部４１０から当該機種に係る消費電流テーブルと電池容量とを取得する。
【００４８】
ステップＳ２０５において、算出部４１２は、取得した消費電流テーブルに記述されている各機能の平均消費電流値とユーザにより入力された各機能の使用時間とから、ユーザにより入力された各機能の使用時間に対応する選択された機種の移動機の平均消費電流値を求める。その後、算出部４１２は、メモリ部４１０から取得した選択された機種の電池容量と算出した平均消費電流値とに基づき、当該機種の持ち時間を算出し、算出した持ち時間をサーバ側送受信部４１４に通知する。
【００４９】
ステップＳ２０６において、サーバ側送受信部４１４は、算出部４１２から算出された持ち時間を受信すると、受信した持ち時間を移動機２００に送信する。
【００５０】
ステップＳ２０７において、移動機側送受信部２１８は、サーバ４００から算出された持ち時間を受信すると、受信した持ち時間を表示部２１６に通知し、表示部２１６は、通知された持ち時間を表示装置１０６に表示する。
【００５１】
なお、上記持ち時間表示処理は、上述した移動機２００の各構成要素を有する情報処理装置３００においても同様に実行可能である。
【００５２】
このように、第２実施例によると、各機種の消費電流テーブルと電池容量とに関するデータと、持ち時間を算出する計算機能とが、サーバ側に配置されるため、移動機の構成を簡略化することができる。
【００５３】
次に、図８を参照して、本発明の第３実施例による移動機が説明される。図８は、本発明の第３実施例による移動機の構成を示す。上述した実施例では、ユーザが移動機の各機能の使用時間と機種とを入力したが、第３実施例では、移動機が各機能の典型的な使用態様を表したいくつかのモデルケースをユーザに提示し、ユーザはこれらのモデルケースから自らの使用態様に対応したモデルケースを選択することができる。これにより、各機能の使用時間を具体的に入力することなく、単に自らの使用態様に適合したモデルケースを移動機に通知することによって、各機能の使用時間を入力することが可能となる。
【００５４】
第３実施例による移動機２００は、モデルケース入力部２２０と、メモリ部２１２と、算出部２１４と、表示部２１６とを有する。なお、メモリ部２１２と、算出部２１４と、表示部２１６は、第１実施例と同様であるため、詳細な説明は省略される。
【００５５】
モデルケース入力部２２０は、図９に示されるようなモデルケーステーブルを有し、ユーザから持ち時間表示要求を受けると、当該テーブルに記述された各モデルケース（ＳＴＹＬＥ、ＰＲＩＭＥ、ＳＭＡＲＴ、ＰＲＯなど）における各機能（通話時間、メール送信など）の１日当たりの使用時間や使用回数などを表示装置１０６に表示する。なお、このモデルケーステーブルは、ユーザによる移動機の各機能の代表的な使用態様に基づき予め用意されたものであり、典型的には、サーバ４００などから提供される。また、図９に示されたモデルケースでは、メール送受信など使用回数により示される数値は、モデルケース入力部２２０において、当該使用回数に対応する使用時間に変換され、算出部２１４に送信される。
【００５６】
表示された各使用タイプから、ユーザは、自らの使用態様により適合したモデルケースと機種とを選択する。ユーザからモデルケースと機種とが選択されると、モデルケース入力部２２０は、選択されたモデルケースに記述されている各機能の使用時間等と選択された機種とを算出部２１４に通知する。この通知を受信すると、算出部２１２は、第１実施例と同様にして、各機能の使用時間等と選択された機種とに基づき持ち時間を算出する。
【００５７】
あるいは、各モデルケースに対応する平均消費電流量を予め算出しておき、モデルケース入力部２２０は、この算出されている平均消費電流量を各モデルケースと関連付けて有するようにしてもよい。この場合、ユーザからモデルケースと機種とが選択されると、モデルケース入力部２２０は、ユーザが選択したモデルケースに関連付けされた平均消費電流量と選択された機種とを算出部２１４に通知する。本実施例では、算出部２１４は、メモリ部から消費電流テーブルを取得する必要はなく、選択された機種の電池容量のみ取得し、通知された平均消費電流量と電池容量とから持ち時間を算出することが可能となる。
【００５８】
なお、上記持ち時間表示処理は、上述した移動機２００の各構成要素を有する情報処理装置３００においても同様に実行可能である。また、移動機２００の上述した各構成要素のうち、メモリ部２１２と算出部２１４とをサーバ４００に設け、第２実施例と同様に、移動機２００とサーバ４００とが協働して上記持ち時間表示処理を実行するようにしてもよい。
【００５９】
次に、図１０を参照して、本発明の第３実施例による移動機２００における持ち時間表示処理が説明される。図１０は、本発明の第３実施例による移動機の処理を示すフロー図である。
【００６０】
当該持ち時間表示処理は、例えば、ユーザが、モデルケース入力部２２０に持ち時間表示要求を入力することにより開始される。
【００６１】
ステップＳ３０１において、モデルケース入力部２２０は、保持しているモデルケーステーブルに記述された各モデルケースを表示装置１０６に表示し、ユーザに何れかのモデルケースを選択するよう促す。ユーザは、各モデルケースに記述された各機能の使用時間等を確認し、自らの使用態様により適合したモデルケースと、持ち時間を知りたい移動機の機種とをモデルケース入力部２２０に入力する。モデルケース入力部２２０は、選択されたモデルケースに記述された各機能の使用時間と選択された機種とを算出部２１４に通知する。
【００６２】
ステップＳ３０２において、算出部２１４は、モデルケース入力部２２０から受信した機種に係る消費電流テーブルと電池容量とをメモリ部２１２から取得する。
【００６３】
ステップＳ３０３において、算出部２１４は、取得した消費電流テーブルに記述されている各機能の平均消費電流値と選択されたモデルケースに基づく各機能の使用時間とから、ユーザにより選択されたモデルケースに対応する選択された機種の移動機の平均消費電流値を求める。その後、算出部２１４は、メモリ部２１２から取得した選択された機種の電池容量と算出した平均消費電流値とに基づき、当該機種の持ち時間を算出し、算出した持ち時間を表示部２１６に通知する。
【００６４】
ステップＳ３０４において、表示部２１６は、通知された持ち時間を表示装置１０６に表示する。
【００６５】
なお、上記持ち時間表示処理は、上述した移動機２００の各構成要素を有する情報処理装置３００においても同様に実行可能である。
【００６６】
このように、第３実施例によると、各機能の代表的な使用態様を記述したモデルケースを選択することによって、ユーザは、各機能の使用時間を入力することなく、より容易に各機能の使用時間を提供することができる。
【００６７】
次に、図１１を参照して、本発明の第４実施例による移動機が説明される。図１１は、本発明の第４実施例による移動機の構成を示す。上述した第１実施例では、ユーザは、参照すべき情報を提供されることなく移動機の各機能の使用時間を入力したが、第４実施例では、移動機がユーザの使用履歴を記録し、ユーザは、記録された使用履歴を参照して各機能の使用時間を入力することができる。これにより、ユーザは、各機能のこれまでの使用履歴を参考にして使用時間を入力することができる。
【００６８】
第４実施例による移動機２００は、上述した入力部２１０と、メモリ部２１２と、算出部２１４と、表示部２１６とに加えて、移動機内部メモリ部２２２と、移動機内部算出部２２４と、移動機内部各機能開始判定部２２６と、移動機内部各機能終了判定部２２８とを有する。なお、入力部２１０と、メモリ部２１２と、算出部２１４と、表示部２１６は、第１実施例と同様であるため、詳細な説明は省略される。
【００６９】
移動機内部メモリ部２２２は、補助記憶装置１０２などにより実現され、移動機内部算出部２２４から移動機２００において使用された各機能の１日当たりの使用時間を受信すると、受信した使用時間に基づき現在保持している各機能の使用時間を更新する。この更新では、移動機内部算出部２２４から各機能の１日当たりの使用時間を受信すると、この受信した値により現在保持している各機能の使用時間を更新してもよい。あるいは、より長期の期間の使用履歴を反映させるため、移動機内部メモリ部２２２は、この受信した値を含む最近１週間の各機能の使用時間を算出し、算出した使用時間により現在保持している各機能の使用時間を更新してもよい。
【００７０】
移動機内部算出部２２４は、移動機内部各機能開始判定部２２６と移動機内部各機能終了判定部２２８とからそれぞれ受信した移動機２００の各機能の使用開始時刻と使用終了時刻とから、各機能の使用時間を算出する。移動機内部算出部２２４は、１日などの所定の期間における算出した各機能の使用時間の合計を求め、例えば、１日当たりの各機能の使用時間を移動機内部メモリ部２２２に通知する。
【００７１】
移動機内部各機能開始判定部２２６は、移動機２００の各機能（通話、メール送受信、音楽再生など）の実行開始を検出し、移動機２００のタイマー（図示せず）などを参照して検出された開始時刻を決定する。その後、移動機内部各機能開始判定部２２６は、検出した機能と決定された開始時刻とを移動機内部算出部２２４に通知する。
【００７２】
移動機内部各機能終了判定部２２８は、移動機２００の各機能の実行終了を検出し、タイマーなどを参照して検出された終了時刻を決定する。その後、移動機内部各機能終了判定部２２８は、検出した機能と決定された終了時刻とを移動機内部算出部２２４に通知する。
【００７３】
第４実施例による入力部２１０は、ユーザから持ち時間表示処理を要求されると、移動機内部メモリ部２２２から各機能の１日当たりの使用時間を取得し、取得した各機能の使用時間を表示装置１０６に表示する。ユーザは、表示された各機能の使用時間を参照して入力部２１０に各機能の使用時間を入力することができる。このとき、ユーザは、単に表示された各機能の使用時間を入力として提供してもよい。入力部２１０は、入力された各機能の使用時間と選択された機種とを算出部２１４に提供する。以降の処理は、第１実施例の処理と同様である。
【００７４】
次に、図１２を参照して、本発明の第４実施例による移動機２００における持ち時間表示処理が説明される。図１２は、本発明の第４実施例による移動機の処理を示すフロー図である。
【００７５】
ステップＳ４０１において、移動機内部各機能開始判定部２２６は、移動機２００の各機能の実行開始を検出し、タイマーなどを参照して開始時刻を決定する。その後、移動機内部各機能開始判定部２２６は、検出した機能と決定した開始時刻とを移動機内部算出部２２４に通知する。
【００７６】
ステップＳ４０２において、移動機内部各機能終了判定部２２８は、移動機２００の各機能の実行終了を検出し、タイマーなどを参照して終了時刻を決定する。その後、移動機内部各機能終了判定部２２８は、検出した機能と決定した終了時刻とを移動機内部算出部２２４に通知する。
【００７７】
ステップＳ４０３において、移動機内部各機能開始判定部２２６と移動機内部各機能終了判定部２２８とからそれぞれ検出した機能と決定された開始時刻と終了時刻とを受信すると、移動機内部算出部２２４は、受信した開始時刻と終了時刻から当該機能に係る使用時間を算出及び保持する。その後、移動機内部算出部２２４は、保持している各機能の使用時間から、１日などの所定期間における各機能の使用時間を算出し、算出した各機能の１日当たりの使用時間を移動機内部メモリ部２２２に通知する。
【００７８】
ステップＳ４０４において、移動機内部メモリ部２２２は、受信した各機能の１日当たりの使用時間に基づき、現在保持している各機能の１日当たりの使用時間を更新する。
【００７９】
なお、ステップＳ４０１〜Ｓ４０４は、移動機２００において継続的に実行され、移動機内部メモリ部２２２に格納される各機能の１日当たりの使用時間は定期的に更新される。
【００８０】
ステップＳ４０５において、ユーザが、入力部２１２に持ち時間表示要求を入力すると、入力部２１２は、移動機内部メモリ部２２２から各機能の１日当たりの使用時間を取得し、取得した使用時間を表示装置１０６に表示する。表示された各機能の１日当たりの使用時間を参照して、ユーザは、各機能の使用時間と、持ち時間を知りたい移動機の機種とを入力部２１２に入力する。入力部２１２は、入力された使用時間と機種とを算出部２１４に通知する。
【００８１】
ステップＳ４０６において、算出部２１４は、入力部２１２から受信した機種に係る消費電流テーブルと電池容量とをメモリ部２１２から取得する。
【００８２】
ステップＳ４０７において、算出部２１４は、取得した消費電流テーブルに記述されている各機能の平均消費電流値とユーザにより入力された各機能の使用時間とから、ユーザにより入力された各機能の使用時間に対応する選択された機種の移動機の平均消費電流値を求める。その後、算出部２１４は、メモリ部２１２から取得した選択された機種の電池容量と算出した平均消費電流値とに基づき、当該機種の持ち時間を算出し、算出した持ち時間を表示部２１６に通知する。
【００８３】
ステップＳ４０８において、表示部２１６は、通知された持ち時間を表示装置１０６に表示する。
【００８４】
なお、上記持ち時間表示処理は、上述した移動機２００の各構成要素を有する情報処理装置３００及び／又はサーバ４００においても同様に実行可能である。
【００８５】
このように、第４実施例によると、移動機が各機能の使用履歴を記録することによって、ユーザは、現在使用している移動機の各機能を実際に使用した時間を参照して、各機能の使用時間を入力することができる。
【００８６】
次に、図１３を参照して、本発明の第５実施例による移動機が説明される。図１３は、本発明の第５実施例による移動機の構成を示す。上述した実施例では、ユーザは、各機能の使用時間と持ち時間を知りたい機種とを入力し、移動機２００は、当該機種の持ち時間を算出及び表示した。第５実施例では、ユーザは、各機能の使用時間と持ち時間を知りたい複数の機種とを入力し、移動機２００は、複数の機種の持ち時間を算出し、最長の持ち時間となる機種と最短の持ち時間となる機種とを表示するなど、持ち時間の降順などにより選択された各機種を整列して表示する。なお、上記持ち時間表示処理は、上述した移動機２００の各構成要素を有する情報処理装置３００においても同様に実行可能である。
【００８７】
第５実施例による移動機２００は、入力部２１０と、メモリ部２１２と、算出部２１４と、表示部２１６と、条件指定部２３０と、判定部２３２とを有する。なお、入力部２１０と、メモリ部２１２と、算出部２１４と、表示部２１６とは、第１実施例のものと同様であり、同様の処理については説明されない。
【００８８】
入力部２１０は、各機能の使用時間と共に、持ち時間を知りたい複数の機種がユーザにより入力されると、条件指定部２３０に入力された各機能の使用時間と選択された複数の機種とを通知する。なお、入力部２１０は、ユーザが複数の機種を容易に選択できるように、直近３ヶ月間に発売された機種、ユーザに指定された特定の機能を備えた機種など、ユーザが検索しやすい形式により複数の機種を提示するようにしてもよい。
【００８９】
条件指定部２３０は、入力部２１０から各機能の使用時間と複数の機種とを受信すると、受信した使用時間と機種とを算出部２１４に通知する。さらに、条件指定部２３０は、入力部２１０から複数の機種を受信すると、さらにユーザに算出されるこれらの機種の持ち時間を何れの形式により表示させたいか指定させる。例えば、最長の持ち時間となる機種のみ表示する、持ち時間の長さが上位３機種を表示する、最小の持ち時間と最短の持ち時間となる機種を表示する、選択した機種を持ち時間の降順に表示するなど、条件指定部２３０は、適当な表示形式をユーザに選択させる。条件指定部２３０は、選択された表示形式を判定部２３２に通知する。
【００９０】
算出部２１４は、ユーザにより入力された各機能の使用時間と選択された機種とを条件指定部２３０から受信すると、選択された各機種に係る消費電流テーブルと電池容量とをメモリ部２１０から取得する。なお、選択された機種に係る消費電流テーブルがメモリ部２１０に格納されていない場合、メモリ部２１０は、ネットワークに接続し、サーバ４００から当該消費電流テーブルを取得してもよい。また、メモリ部２１０に消費電流テーブルが格納されていない機種については、ユーザが入力部２１２から選択できないようにしてもよい。算出部２１４は、選択された各機種について、当該機種に係る消費電流テーブルと入力された各機能の使用時間とに基づき、当該機種の平均消費電流量と算出する。算出部２１４は、算出した平均消費電流量と当該機種の電池容量とに基づき、当該機種の持ち時間を算出する。算出部２１４は、算出した各機種の持ち時間を判定部２３２に通知する。
【００９１】
判定部２３２は、算出部２１４から受信した各機種の持ち時間を、条件指定部２３０から受信した表示形式に従って整理する。すなわち、条件指定部２３０から指示された表示形式が最長の持ち時間となる機種と最短の持ち時間となる機種とを表示するというものである場合、判定部２３２は、算出部２１４から受信した持ち時間のうち、最長の持ち時間となる機種と最短の持ち時間となる機種とを特定し、当該機種とその持ち時間とを表示部２１６に通知する。あるいは、条件指定部２３０から指示された表示形式が持ち時間の降順により選択された機種を表示するというものである場合、判定部２３２は、算出部２１４から受信した持ち時間の降順により選択された機種をその持ち時間と共に表示部２１６に通知する。
【００９２】
表示部２１６は、判定部２３２から表示すべき機種と持ち時間とを受信すると、受信した機種と持ち時間とを指示された表示形式により表示装置１０６に表示する。
【００９３】
次に、図１４を参照して、本発明の第５実施例による移動機２００における持ち時間表示処理が説明される。図１４は、本発明の第５実施例による移動機の処理を示すフロー図である。
【００９４】
当該持ち時間表示処理は、例えば、ユーザが、入力部２１２に持ち時間比較表示要求を入力することにより開始される。
【００９５】
ステップＳ５０１において、入力部２１２は、ユーザから各機能の使用時間と複数の機種とを入力されると、入力された使用時間と機種とを条件指定部２３０に通知する。
【００９６】
ステップＳ５０２において、入力部２１２から各機能の使用時間と複数の機種とを受信すると、条件指定部２３０は、受信した使用時間と機種とを算出部２１４に通知する。さらに、条件指定部２３０は、算出した待ち時間のいくつかの表示形式をユーザに提示し、何れかの表示形式を選択するようユーザに促す。ユーザが、例えば、最長の持ち時間となる機種と最短の持ち時間となる機種とを表示するなど、何れかの表示形式を選択すると、条件指定部２３０は、選択された表示形式を判定部２３２に通知する。
【００９７】
ステップＳ５０３において、算出部２１４は、条件指定部２３０から受信した複数の機種に係る消費電流テーブルと電池容量とをメモリ部２１２から取得する。
【００９８】
ステップＳ５０４において、算出部２１４は、各機種について、取得した消費電流テーブルに記述されている各機能の平均消費電流値と条件指定部２３０から受信した各機能の使用時間とから、当該機種の平均消費電流量を求める。その後、算出部２１４は、メモリ部２１２から取得した当該機種の電池容量と算出した平均消費電流値とに基づき、当該機種の持ち時間を算出し、算出した持ち時間を判定部２３２に通知する。
【００９９】
ステップＳ５０５において、判定部２３２は、条件指定部２３０から指示された表示形式に従って、算出部２１４から受信した各機種の持ち時間に基づき、表示すべき機種とその持ち時間を決定する。例えば、条件指定部２３０から、最長の持ち時間となる機種と最短の持ち時間となる機種とを表示するという表示形式が指示された場合、判定部２３２は、算出部２１４から受信した各機種の持ち時間のうち、最長の持ち時間となる機種と最短の持ち時間となる機種とを特定し、当該機種とこれらの持ち時間とを表示部２１６に通知する。
【０１００】
ステップＳ５０６において、表示部２１６は、通知された持ち時間を表示装置１０６に表示する。
【０１０１】
なお、上記持ち時間比較表示処理は、上述した移動機２００の各構成要素を有する情報処理装置３００及び／又はサーバ４００においても同様に実行可能である。
【０１０２】
このように、第５実施例によると、ユーザは、複数の機種の持ち時間を容易に比較することができる。
【０１０３】
次に、図１５を参照して、本発明の第６実施例による情報システムが説明される。図１５は、本発明の第６実施例による移動機と情報処理装置との構成を示す。第６実施例では、第４実施例の移動機２００のメモリ部２１０と、入力部２１２と、算出部２１４と、表示部２１６とが情報処理装置３００に備えられ、情報処理装置３００が、移動機２００の移動機内部メモリ２２２に格納されている移動機２００における各機能の使用履歴を受信し、情報処理装置３００に対するユーザの操作を介し算出した持ち時間を表示する。これにより、移動機２００に消費電流テーブル及び算出部２１６を備えることなく、ユーザは、移動機２００に格納されている各機能の使用履歴を情報処理装置３００に送信することによって、情報処理装置３００において各機能の使用履歴を参照して各機能の使用時間を容易に入力することができる。
【０１０４】
第６実施例による移動機２００は、移動機側送受信部２１８と、移動機内部メモリ部２２２と、移動機内部算出部２２４と、移動機内部各機能開始判定部２２６と、移動機内部各機能終了判定部２２８とを有する。
【０１０５】
移動機側送受信部２１８は、通信装置１０５により実現され、ネットワーク又は通信ケーブルなど（図示せず）を介し接続される情報処理装置３００と通信する。移動機側送受信部２１８は、移動機内部メモリ部２２２に格納されている移動機２００における各機能の使用履歴を情報処理装置３００に送信する。
【０１０６】
移動機内部メモリ部２２２は、補助記憶装置１０２などにより実現され、移動機内部算出部２２４から移動機２００において使用された各機能の１日当たりの使用時間を受信すると、受信した使用時間に基づき現在保持している各機能の使用時間を更新する。この更新では、移動機内部算出部２２４から各機能の１日当たりの使用時間を受信すると、この受信した値により現在保持している各機能の使用時間を更新してもよい。あるいは、より長期の期間の使用履歴を反映させるため、移動機内部メモリ部２２２は、この受信した値を含む最近１週間の各機能の使用時間を算出し、算出した使用時間により現在保持している各機能の使用時間を更新してもよい。
【０１０７】
移動機内部算出部２２４は、移動機内部各機能開始判定部２２６と移動機内部各機能終了判定部２２８とからそれぞれ受信した移動機２００の各機能の使用開始時刻と使用終了時刻とから、各機能の使用時間を算出する。移動機内部算出部２２４は、１日などの所定の期間における算出した各機能の使用時間の合計を求め、例えば、１日当たりの各機能の使用時間を移動機内部メモリ部２２２に通知する。
【０１０８】
移動機内部各機能開始判定部２２６は、移動機２００の各機能（通話、メール送受信、音楽再生など）の実行開始を検出し、移動機２００のタイマー（図示せず）などを参照して検出された開始時刻を決定する。その後、移動機内部各機能開始判定部２２６は、検出した機能と決定された開始時刻とを移動機内部算出部２２４に通知する。
【０１０９】
移動機内部各機能終了判定部２２８は、移動機２００の各機能の実行終了を検出し、タイマーなどを参照して検出された終了時刻を決定する。その後、移動機内部各機能終了判定部２２８は、検出した機能と決定された終了時刻とを移動機内部算出部２２４に通知する。
【０１１０】
第６実施例による情報処理装置３００は、メモリ部３１０と、入力部３１２と、端末側送受信部３１４と、算出部３１６と、表示部３１８とを有する。
【０１１１】
入力部３１０は、ユーザから持ち時間表示処理を要求されると、端末側送受信部３１４を介し移動機２００の使用履歴を取得し、取得した各機能の使用時間を表示装置１０６に表示する。ユーザは、表示された各機能の使用時間を参照して入力部３１０に各機能の使用時間を入力することができる。このとき、ユーザは、単に表示された各機能の使用時間を入力として提供してもよい。入力部３１０は、入力された各機能の使用時間と選択された機種とを算出部３１４に提供する。以降の処理は、第１実施例の処理と同様である。
【０１１２】
端末側送受信部３１４は、入力部３１０から移動機２００の各機能の使用履歴を取得するよう指示されると、移動機２００の移動機側送受信部２１８を介し使用履歴を取得し、取得した使用履歴を入力部３１０に提供する。
【０１１３】
このような構成では、情報処理装置３００が、移動機２００の使用履歴情報を移動機内部メモリ部２２２から通信ケーブルなどを介し取得し、ユーザが各機能の使用時間を入力部３１０に入力することなく、又は取得した使用履歴を参照して各機能の使用時間を入力することにより、取得した使用履歴情報とユーザにより選択された機種とに基づき待ち時間を算出することができる。この場合、さらに、サーバ４００が、メモリ部３１０と、算出部３１６とを有し、情報処理装置３００は、入力部３１２と表示部３１８とを有するようにして、サーバ４００と情報処理装置３００と移動機２００が協働するようにしてもよい。あるいは、移動機２００が、入力に２１０と、表示部２１６と、移動機内部メモリ部２２２と、移動機内部算出部と、移動機内部各機能開始判定部２２６と、移動機内部各機能終了判定部２２８とを有し、サーバ４００は、メモリ部と算出部とを有するようにして、サーバ４００と移動機２００とが協働するようにしてもよい。
【０１１４】
次に、図１６を参照して、本発明の第６実施例による移動機２００と情報処理装置３００とによる持ち時間表示処理が説明される。図１６は、本発明の第６実施例による移動機と情報処理装置との処理を示すフロー図である。
【０１１５】
ステップＳ６０１において、移動機内部各機能開始判定部２２６は、移動機２００の各機能の実行開始を検出し、タイマーなどを参照して開始時刻を決定する。その後、移動機内部各機能開始判定部２２６は、検出した機能と決定した開始時刻とを移動機内部算出部２２４に通知する。
【０１１６】
ステップＳ６０２において、移動機内部各機能終了判定部２２８は、移動機２００の各機能の実行終了を検出し、タイマーなどを参照して終了時刻を決定する。その後、移動機内部各機能終了判定部２２８は、検出した機能と決定した終了時刻とを移動機内部算出部２２４に通知する。
【０１１７】
ステップＳ６０３において、移動機内部各機能開始判定部２２６と移動機内部各機能終了判定部２２８とからそれぞれ検出した機能と決定された開始時刻と終了時刻とを受信すると、移動機内部算出部２２４は、受信した開始時刻と終了時刻から当該機能に係る使用時間を算出及び保持する。その後、移動機内部算出部２２４は、保持している各機能の使用時間から、１日などの所定期間における各機能の使用時間を算出し、算出した各機能の１日当たりの使用時間を移動機内部メモリ部２２２に通知する。
【０１１８】
ステップＳ６０４において、移動機内部メモリ部２２２は、受信した各機能の１日当たりの使用時間に基づき、現在保持している各機能の１日当たりの使用時間を更新する。
【０１１９】
なお、ステップＳ６０１〜Ｓ６０４は、移動機２００において継続的に実行され、移動機内部メモリ部２２２に格納される各機能の１日当たりの使用時間は定期的に更新される。
【０１２０】
ステップＳ６０５において、ユーザが情報処理装置３００の入力部３１２に持ち時間表示要求を入力すると、入力部３１２は、端末側送受信部３１４を介し移動機２００に各機能の１日当たりの使用時間などの使用履歴を要求する。移動機２００の移動機側送受信部２１８が当該要求を受信すると、移動機側送受信部２１８は、移動機内部メモリ部２２２から使用履歴を取得し、取得した使用履歴を情報処理装置３００に送信する。
【０１２１】
ステップＳ６０６において、入力部３１２が、端末側送受信部３１４を介し各機能の１日当たりの使用時間を取得すると、取得した使用時間を表示装置１０６に表示する。表示された各機能の１日当たりの使用時間を参照して、ユーザは、各機能の使用時間と、持ち時間を知りたい移動機の機種とを入力部３１２に入力する。入力部３１２は、入力された使用時間と機種とを算出部３１６に通知する。
【０１２２】
ステップＳ６０７において、算出部３１６は、入力部３１２から受信した機種に係る消費電流テーブルと電池容量とをメモリ部３１０から取得する。
【０１２３】
ステップＳ６０８において、算出部３１６は、取得した消費電流テーブルに記述されている各機能の平均消費電流値とユーザにより入力された各機能の使用時間とから、ユーザにより入力された各機能の使用時間に対応する選択された機種の移動機の平均消費電流値を求める。その後、算出部３１６は、メモリ部３１０から取得した選択された機種の電池容量と算出した平均消費電流値とに基づき、当該機種の持ち時間を算出し、算出した持ち時間を表示部３１８に通知する。
【０１２４】
ステップＳ６０９において、表示部３１８は、通知された持ち時間を表示装置１０６に表示する。
【０１２５】
このように、第６実施例によると、移動機が消費電流テーブル及び算出部を有しない場合でも、ユーザは、移動機に格納されている各機能の使用履歴を情報処理装置に送信することによって、情報処理装置を介し所望する移動機の持ち時間を確認することをできる。
【０１２６】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【０１２７】
１００  情報システム
２００  移動機
２１０  入力部
２１２  メモリ部
２１４  算出部
２１６  表示部
２１８  移動機側送受信部
２２０  モデルケース入力部
２２２  移動機内部メモリ部
２２４  移動機内部算出部
２２６  移動機内部各機能開始判定部
２２８  移動機内部各機能終了判定部
２３０  条件指定部
２３２  判定部
３００  情報処理装置
４００  サーバ
【図１】
2011078000.tif 000003
【図２】
2011078000.tif 000004
【図３】
2011078000.tif 000005
【図４】
2011078000.tif 000006
【図５】
2011078000.tif 000007
【図６】
2011078000.tif 000008
【図７】
2011078000.tif 000009
【図８】
2011078000.tif 000010
【図９】
2011078000.tif 000011
【図１０】
2011078000.tif 000012
【図１１】
2011078000.tif 000013
【図１２】
2011078000.tif 000014
【図１３】
2011078000.tif 000015
【図１４】
2011078000.tif 000016
【図１５】
2011078000.tif 000017
【図１６】
2011078000.tif 000018